(57)【要約】【課題】切刃への袋の巻き付きやごみ袋の詰まりを低減することができる破袋装置を提供する。【解決手段】  コンベア２０上で搬送されるごみ袋４０を破袋する破袋装置１０であって、コンベア２０の上方に基端が固定され、コンベア２０に向かって延びるアーム３２と、アーム３２の先端に着脱可能に取り付けられた切刃３４と、を有する切刃アーム３０を備える。切刃３４は刃部が直線状に設けられた平刃を含み、アーム３２は、基端を中心としてコンベア２０の搬送方向Ｔに沿って回動可能に設けられている。【選択図】  図１
2007152325.tif 000002
【特許請求の範囲】
【請求項１】
コンベア上で搬送されるごみ袋を破袋する破袋装置であって、
前記コンベアの上方に基端が固定され、該コンベアに向かって延びるアームと、前記アームの先端に着脱可能に取り付けられた切刃と、を有する切刃アームを備え、
前記切刃は刃部が直線状に設けられた平刃を含み、
前記アームは、前記基端を中心として前記コンベアの搬送方向に沿って回動可能に設けられていることを特徴とする破袋装置。
【請求項２】
前記切刃アームに取り付けられ重さを調整する錘を更に備えることを特徴とする請求項１に記載の破袋装置。
【請求項３】
前記切刃アームを前記コンベアの幅方向に複数配した切刃アーム列を、該コンベアの搬送方向に複数設け、
前記複数の切刃アーム列のうち隣接する切刃アーム列では、前記切刃アームの前記幅方向の位置が互いにズレていることを特徴とする請求項１又は２に記載の破袋装置。
【発明の詳細な説明】
【技術分野】
【０００１】
本発明は、収集したごみ袋を、分別などのごみ処理作業前に破袋する破袋装置に関する。
【背景技術】
【０００２】
一般家庭等から排出される缶、ビン、ペットボトル等のごみは、まとめてごみ袋に入れられてごみ処理場に回収されることがある。これら回収したごみは、予めごみ袋を破袋してから、内容物が分別される。
【０００３】
この破袋作業のための装置として、例えば特許文献１に開示された破袋装置がある。この破袋装置では、回転ローラの周面に突出刃が設けられており、コンベア上を搬送されるごみ袋がこの突出刃に当たることで、ごみ袋が破袋される。
【特許文献１】特許第３０９２９０１号公報
【発明の開示】
【発明が解決しようとする課題】
【０００４】
しかしながら、上記した従来の破袋装置では、回転ローラに袋が巻き付き易く、また回転ローラとコンベアとの間にごみ袋が詰まり易いという問題があった。
【０００５】
本発明は、上記した事情に鑑みて為されたものであり、切刃への袋の巻き付きやごみ袋の詰まりを低減することができる破袋装置を提供することを課題とする。
【課題を解決するための手段】
【０００６】
本発明に係る破袋装置は、コンベア上で搬送されるごみ袋を破袋する破袋装置であって、コンベアの上方に基端が固定され、コンベアに向かって延びるアームと、アームの先端に着脱可能に取り付けられた切刃と、を有する切刃アームを備え、切刃は刃部が直線状に設けられた平刃を含み、アームは、基端を中心としてコンベアの搬送方向に沿って回動可能に設けられていることを特徴とする。
【０００７】
この破袋装置では、切刃は刃部が直線状に設けられた平刃を含んでいるため、袋が巻き付き難く、またアームが基端を中心としてコンベアの搬送方向に沿って回動可能であるため、ごみ袋の大きさに応じて自在に回動し、自重によりごみ袋に係合して破袋することで、ごみ袋の詰まりを低減することができる。また、切刃は着脱自在に設けられているため、消耗したときには切刃のみを交換することができ、メンテナンスが容易になる。
【０００８】
切刃アームに取り付けられ重さを調整する錘を更に備えると好ましい。このようにすれば、ごみ袋の詰まりの低減と、ごみ袋の破れ具合とのバランスを図ることができる。
【０００９】
切刃アームをコンベアの幅方向に複数配した切刃アーム列を、コンベアの搬送方向に複数設け、複数の切刃アーム列のうち隣接する切刃アーム列では、切刃アームの幅方向の位置が互いにズレていると好ましい。このようにすれば、切刃アームをコンベアの幅方向に複数配することで、効率的な破袋処理が図られる。また、各切刃アームは独立して回動可能であるため、幅方向に高さの異なるごみ袋が搬送されてきても、詰まりを生じるおそれを低減することができる。また、切刃アーム列をコンベアの搬送方向に複数設けることで、より好適にごみ袋を破袋することができる。更に、隣接する切刃アーム列で切刃アームの幅方向の位置が互いにズレているため、より一層好適にごみ袋を破袋することができる。
【発明の効果】
【００１０】
本発明によれば、切刃への袋の巻き付きやごみ袋の詰まりを低減することができる破袋装置を提供することが可能となる。
【発明を実施するための最良の形態】
【００１１】
以下、添付図面を参照して本発明の実施形態について説明する。なお、図面の説明において同一の要素には同一の符号を付し、重複する説明を省略する。
【００１２】
図１は、本実施形態に係る破袋装置の構成を示す斜視図である。図１に示すように、破袋装置１０は、搬送装置としてのベルトコンベア２０と、複数の切刃アーム３０とを備えている。
【００１３】
ベルトコンベア２０は、一般家庭等から排出される缶、ビン、ペットボトル等のごみを纏めて収容したごみ袋４０を搬送する。ごみ袋４０としては、高密度のポリエチレン製のものが一般的であるが、ごみ袋４０は他のプラスチックや紙から形成されていてもよい。例えばポリエチレン製のごみ袋４０の場合、その容量は４５〜７０Ｌ程度であり、厚みが５０μｍ程度である。
【００１４】
切刃アーム３０は、図１乃至図３に示すように、ベルトコンベア２０の上方に基端が固定され、ベルトコンベア２０に向かって延びるアーム３２と、アーム３２の先端に取り付けられた切刃３４と、を有する。切刃３４は、刃部が直線状に設けられた平刃を含んでいる。この切刃３４は、ボルト等によりアーム３２の先端に着脱可能に取り付けられている。切刃３４の刃部とアーム３２の軸に垂直な軸Ｈとのなす角度θは、４５度程度となっている。この切刃３４は、耐摩耗性を向上させるために焼入れしていると好ましい。アーム３２の基端には、ヒンジ部５０が設けられている。ヒンジ部５０は、二枚のベース板５２と、これらベース板５２を連結するヒンジ５４とを有している。そして、アーム３２の基端は一方のベース板５２に固定されており、他方のベース板５２がベルトコンベア２０の上方に横架された支持梁１２に固定されている。これにより、図３に示すように、アーム３２は基端を中心としてベルトコンベア２０の搬送方向Ｔに沿って回動可能に設けられている。
【００１５】
アーム３２が固定されたベース板５２の裏面には、錘３６が固定されている。この錘３６は、図３に示すように、アーム３２に沿って棒状に延びており、破線で示す回動位置から実線で示す通常位置に自重で戻るときの強さを調整する。これにより、アーム３２が回動することでごみ袋４０の詰まりを低減しつつ、重みでごみ袋４０に切刃３４を確実に係合させて、ごみ袋４０の破れ具合の好適化を図っている。
【００１６】
ここで、本実施形態に係る破袋装置１０では、複数の切刃アーム３０が支持梁１２に固定され、ベルトコンベア２０の幅方向に配されて、切刃アーム列３０Ａが構成されている。本実施形態では、五個乃至六個の切刃アーム３０により、切刃アーム列３０Ａが構成されている。そして、図４に示すように、これら切刃アーム列３０Ａがベルトコンベア２０の搬送方向Ｔに複数（ここでは６列）設けられている。複数の切刃アーム列３０Ａのうち隣接する切刃アーム列３０Ａでは、切刃アーム３０の幅方向の位置が互いにズレている。
【００１７】
次に、本実施形態に係る破袋装置１０の作用及び効果について説明する。
【００１８】
缶、ビン、ペットボトル等のごみを纏めて収容したごみ袋４０は、ベルトコンベア２０上で搬送方向Ｔに搬送される。このとき、ベルトコンベア２０の上方には切刃アーム３０が設けられているため、ごみ袋４０に切刃が係合する。そして、ベルトコンベア２０によるごみ袋４０を搬送する力により、切刃アーム３０が搬送方向Ｔに押されることで、ごみ袋４０の大きさに応じて基端を中心としてアーム３２が自在に回動する。一方で、切刃アーム３０は錘３６によりその重さが調整されており、自重により通常位置に戻ろうとして、切刃３４がごみ袋４０にしっかりと係合する。これにより、ごみ袋４０の詰まりが低減されつつ、ごみ袋４０が破られる。すなわち、このようなごみ袋４０は、油分などの汚れが付着することで破袋し辛くなるものの、切刃アーム３０が回動することでごみ袋４０の過度の引っ掛かりを無くしつつ、切刃３４がごみ袋４０にしっかりと係合することで、ごみ袋４０の詰まりを低減しつつ、ごみ袋４０を破ることができる。
【００１９】
また、切刃３４は刃部が直線状に設けられた平刃を含んでいるため、袋が巻き付くことを低減することができる。また、切刃３４は着脱自在に設けられているため、消耗したときには切刃３４のみを交換することができ、メンテナンスを容易にすることができる。
【００２０】
また、切刃アーム３０はベルトコンベア２０の幅方向に複数配され切刃アーム列３０Ａが構成されているため、効率的な破袋処理を図ることができる。また、各切刃アーム３０は独立して回動可能であるため、幅方向に高さの異なるごみ袋４０が搬送されてきても、詰まりを生じるおそれを低減することができる。また、切刃アーム列３０Ａはベルトコンベア２０の搬送方向Ｔに複数設けられているため、より確実なごみ袋４０の破袋を実現することができる。更に、隣接する切刃アーム列３０Ａで切刃アーム３０の幅方向の位置が互いにズレているため、より一層確実なごみ袋４０の破袋を実現することができる。
【００２１】
また、この破袋装置１０では切刃３４によりごみ袋４０を破袋するものであり、ヒータの熱によりごみ袋４０を溶断するものではないため、焼けた袋が溶着するなどして破袋作業が著しく低下することが無く、また溶断のときのような煙や臭気の発生も無いため、作業環境が悪化するおそれがない。
【００２２】
なお、本発明は上記した実施形態に限定されることなく、種々の変形が可能である。例えば、上記実施形態では切刃アーム３０を自重により回動可能に構成したが、切刃アーム３０の前後への回動をアクチュエータ等により制御してもよい。
【図面の簡単な説明】
【００２３】
【図１】実施形態に係る破袋装置の構成を示す斜視図である。
【図２】切刃アームの構成を示す斜視図である。
【図３】切刃アームが回動する様子を示す側面図である。
【図４】切刃アーム列の配置の様子を示す平面図である。
【符号の説明】
【００２４】
１０…破袋装置、２０…ベルトコンベア、３０…切刃アーム、３０Ａ…切刃アーム列、３２…アーム、３４…切刃、３６…錘、４０…ごみ袋、５０…ヒンジ部、５２…ベース板、５４…ヒンジ、Ｔ…搬送方向。
【図１】
2007152325.tif 000003
【図２】
2007152325.tif 000004
【図３】
2007152325.tif 000005
【図４】
2007152325.tif 000006